(57)【要約】【課題】高温部と低温部とを設けた場合にも、髪が傷められるのを抑えつつ滑らかな動作で施術することのできる髪ケア装置を得る。【解決手段】髪ケア装置１は、毛髪を挟持して施術する一対の挟持部２、３を備え、前記一対の挟持部２、３のうちの少なくとも一方にヒータ（加熱部）６を有したプレート（髪接触部材）４が設けられている。そして、プレート４の施術方向αの前方側に高温部ＴＨを形成するとともに、後方側に高温部ＴＨよりも温度が低くなる低温部ＴＬを形成することで、プレート４自体に温度勾配を発生させる。これにより、高温部ＴＨと低温部ＴＬとの間に境界部分が形成されるのを防止できる。【選択図】図２
2013063102.tif 000002
【特許請求の範囲】
【請求項１】
毛髪を挟持して施術する一対の挟持部を備え、前記一対の挟持部のうちの少なくとも一方に加熱部を有した髪接触部材が設けられた髪ケア装置において、
前記髪接触部材の施術方向の前方側に高温部を形成するとともに、後方側に前記高温部よりも温度が低くなる低温部を形成したことを特徴とする髪ケア装置。
【請求項２】
前記施術方向の前方側における前記髪接触部材の背面側に、前記加熱部を配置したことを特徴とする請求項１に記載の髪ケア装置。
【請求項３】
前記髪接触部材を断熱材料が含有された素材で形成し、当該断熱材料の含有率を前記施術方向で異ならせたことを特徴とする請求項１または２に記載の髪ケア装置。
【請求項４】
前記施術方向の後方側における前記髪接触部材の背面側に、前記髪接触部材を冷やす冷却手段を配置したことを特徴とする請求項１〜３のうち何れか１項に記載の髪ケア装置。
【請求項５】
前記冷却手段が、ペルチェ素子であることを特徴とする請求項４に記載の髪ケア装置。
【請求項６】
前記髪接触部材は、前記高温部と前記低温部との間に配置される熱遮断部を備えることを特徴とする請求項１〜５のうち何れか１項に記載の髪ケア装置。
【請求項７】
前記熱遮断部が、前記髪接触部材の長手方向に沿って延在するとともに、当該髪接触部材の背面を凹設した凹溝部であることを特徴とする請求項６に記載の髪ケア装置。
【請求項８】
前記髪接触部材が、前記施術方向に並設して複数設けられるとともに、複数の前記髪接触部材の表面を滑らかな連続面で覆ったことを特徴とする請求項１〜７のうち何れか１項に記載の髪ケア装置。
【請求項９】
前記髪接触部材が、前記一対の挟持部のいずれにも設けられていることを特徴とする請求項１〜８のうち何れか１項に記載の髪ケア装置。
【発明の詳細な説明】
【技術分野】
【０００１】
本発明は、髪のスタイルを整える髪ケア装置に関する。
【背景技術】
【０００２】
従来の髪ケア装置として、一対の挟持部（クランプ部材）で髪を挟持して移動させることにより、それら両挟持部のうちの少なくとも一方に設けられた加熱部（加熱部材）を有した髪接触部材（プラテン）でストレートやカール等の髪型を施術できるようにしたヘアスタイリング装置が知られている（例えば、特許文献１参照）。
【０００３】
この特許文献１では、髪接触部材の施術方向（動作方向）の後方側に、冷却手段を有した別の髪接触部材をさらに配置し、前方側の髪接触部材で加熱した髪を後方側の髪接触部材で直ちに冷却できるようにしている。このように、高温部で加熱した髪を低温部で早急に冷却することにより、髪の過度の加熱や水分の損失を防止して髪が痛められるのを抑制することができる。
【先行技術文献】
【特許文献】
【０００４】
【特許文献１】特表２００９−５０１５５８号公報
【発明の概要】
【発明が解決しようとする課題】
【０００５】
しかしながら、上記従来の髪ケア装置にあっては、高温部の髪接触部材と低温部の髪接触部材とが別部材で形成されているため、これら高温部と低温部との間に隙間が形成されてしまう恐れがある。また、上記従来技術では、高温部と低温部とを断熱部材によって分離する旨も開示されているが、このように断熱部材によって上記隙間を埋めた場合にも、相互に隣接した高温部の髪接触部材、断熱部材および低温部の髪接触部材の髪接触面がそれぞれの境界部分で不連続となってしまう。
【０００６】
このように髪接触面に不連続部分が存在すると、髪を挟持部で挟持して施術する際に、その不連続部分で髪が引っ掛かるようにして扱かれるため、髪が傷み易くなる。また、髪ケア装置を移動する際に不連続部分で抵抗力が大きくなり、滑らかな施術動作が阻害されてしまう恐れもある。
【０００７】
そこで、本発明は、高温部と低温部とを設けた場合にも、髪が傷められるのを抑えつつ滑らかな動作で施術することのできる髪ケア装置を得ることを目的とする。
【課題を解決するための手段】
【０００８】
上記目的を達成するために、本発明の第１の特徴は、毛髪を挟持して施術する一対の挟持部を備え、前記一対の挟持部のうちの少なくとも一方に加熱部を有した髪接触部材が設けられた髪ケア装置において、前記髪接触部材の施術方向の前方側に高温部を形成するとともに、後方側に前記高温部よりも温度が低くなる低温部を形成したことを要旨とする。
【０００９】
第２の特徴は、前記施術方向の前方側における前記髪接触部材の背面側に、前記加熱部を配置したことを要旨とする。
【００１０】
第３の特徴は、前記髪接触部材を断熱材料が含有された素材で形成し、当該断熱材料の含有率を前記施術方向で異ならせたことを要旨とする。
【００１１】
第４の特徴は、前記施術方向の後方側における前記髪接触部材の背面側に、前記髪接触部材を冷やす冷却手段を配置したことを要旨とする。
【００１２】
第５の特徴は、前記冷却手段が、ペルチェ素子であることを要旨とする。
【００１３】
第６の特徴は、前記髪接触部材は、前記高温部と前記低温部との間に配置される熱遮断部を備えることを要旨とする。
【００１４】
第７の特徴は、前記熱遮断部が、前記髪接触部材の長手方向に沿って延在するとともに、当該髪接触部材の背面を凹設した凹溝部であることを要旨とする。
【００１５】
第８の特徴は、前記髪接触部材が、前記施術方向に並設して複数設けられるとともに、複数の前記髪接触部材の表面を滑らかな連続面で覆ったことを要旨とする。
【００１６】
第９の特徴は、前記髪接触部材が、前記一対の挟持部のいずれにも設けられていることを要旨とする。
【発明の効果】
【００１７】
本発明の髪ケア装置によれば、髪接触部材の施術方向の前方側に高温部を形成するとともに、後方側に高温部よりも温度が低くなる低温部を形成したので、高温となった前方側で髪を加熱して矯正した後、その髪を低温となった後方側で冷却することができる。このとき、加熱部を有した一つの髪接触部材自体に高温部と低温部とを設けて温度勾配を発生させるようにしたので、髪接触部材は高温部表面から低温部表面に亘って連続した面となる。これにより、高温部から低温部に至る間の表面に不連続部分が形成されるのを防止できるため、施術時に髪が傷められるのを抑制でき且つ滑らかな動作で施術することができる。
【図面の簡単な説明】
【００１８】
【図１】本発明にかかる髪ケア装置の第１実施形態を概略的に示し、（ａ）は側面図、（ｂ）は一方の挟持部の平面図である。
【図２】図１（ｂ）中のI−I線に沿った拡大断面図である。
【図３】本発明にかかる髪ケア装置の第２実施形態を示す図２に対応した拡大断面図である。
【図４】本発明にかかる髪ケア装置の第３実施形態を示す図２に対応した拡大断面図である。
【図５】本発明にかかる髪ケア装置の第４実施形態を示す図２に対応した拡大断面図である。
【図６】第４実施形態で実行される髪接触部の温度変化に対するペルチェ素子とヒータとの電流値制御を、（ａ）、（ｂ）２種類の場合に例をとって示す説明図である。
【図７】本発明にかかる髪ケア装置の第５実施形態を概略的に示し、（ａ）は側面図、（ｂ）は一方の挟持部の平面図である。
【図８】図７（ｂ）中のII−II線に沿った拡大断面図である。
【図９】第５実施形態に用いられる送風ポンプの拡大斜視図である。
【図１０】本発明にかかる髪ケア装置の第６実施形態を概略的に示し、（ａ）は側面図、（ｂ）は一方の挟持部の平面図である。
【図１１】図１０（ｂ）中のIII−III線に沿った拡大断面図である。
【図１２】本発明にかかる髪ケア装置の第７実施形態を概略的に示す斜視図である。
【図１３】図１２中のIV−IV線に沿った拡大断面図である。
【発明を実施するための形態】
【００１９】
以下、本発明の実施形態について図面を参照しつつ詳細に説明する。
【００２０】
［第１実施形態］
図１および図２は、本発明にかかる髪ケア装置の第１実施形態を示した図であり、本実施形態では本発明を髪ケア装置としてのヘアアイロン１に適用した場合を示す。
【００２１】
ヘアアイロン１は、図１に示すように、髪を挟持して施術する一対の挟持部２、３を備えている。これら挟持部２、３は、合成樹脂等の絶縁性を有する断熱材料で形成されており、先端部２ａ、３ａが開閉自在となるようにそれぞれの基端部２ｂ、３ｂが回動自在に連結されている。
【００２２】
このとき、挟持部２、３は、先端部２ａ、３ａ側が互いに開く方向に付勢されるようにすることが好ましい。これにより、開いた状態にある先端部２ａ、３ａ間に髪を挟み込んで基端部２ｂ、３ｂを握持することにより、先端部２ａ、３ａが閉じて容易に髪を挟持することができる。なお、挟持部２、３の回動連結位置は、基端部２ｂ、３ｂに限ることなく挟持部２、３の中間部であってもよい。
【００２３】
ここで、髪の施術とは、髪を挟持部２、３で挟持しつつ髪の延びた方向に移動して髪を矯正する行為を意味し、この髪の矯正は加熱により行われる。
【００２４】
一対の挟持部２、３の各先端部２ａ、３ａの対向面には、髪が直接接触する髪接触部材としてのプレート４がそれぞれ設けられている。
【００２５】
それぞれのプレート４は、本実施形態では所定厚みを有して挟持部２、３の長手方向（図１中左右方向）に長くなる矩形状に形成されており、各プレート４の表面４ａは平坦面となっている。なお、プレート４の形状は矩形状に限ることなく、髪を施術するのに有効な形状であればよい。また、表面４ａにおいても平坦面に限ることなく、矯正しようとする髪型に沿った面形状とすることができる。
【００２６】
図２に示すように、プレート４が設けられる挟持部２の先端部２ａには断面略Ｕ字状の凹所２ｃが形成されており、この凹所２ｃの開放側（図中上端部）内にプレート４が嵌め込まれるようにして固定されている。このとき、プレート４の表面４ａは凹所２ｃの開放側先端から所定量だけ突出して、プレート４の表面４ａで髪を挟持できるようになっている。また、凹所２ｃの底面とプレート４の背面４ｂとの間には空間部Ｓが形成されている。
【００２７】
また、図示省略したが、他方の挟持部３にあっても先端部３ａの構造は上述した一方の挟持部２と同様となっている。なお、図２は挟持部２の先端部構造を示すが、同図中には挟持部３に対応する構成部分の符号に（）を付して併記するものとする。これは他の実施形態として後述する図３、図４、図５、図８、図９、図１１にあっても同様とする。
【００２８】
すなわち、挟持部３の先端部３ａにも断面略Ｕ字状の凹所３ｃが形成されていて、その凹所３ｃの開放側内にプレート４が嵌め込まれるようにして固定されている。この場合にあっても、凹所３ｃの底面とプレート４の背面４ｂとの間には所定の空間部Ｓが形成されている。
【００２９】
プレート４は、ヘアアイロン１による施術方向αがプレート４の幅方向となっており、それぞれのプレート４は施術方向αの前方側が高温部ＴＨとなり、後方側が低温部ＴＬとなっている。このようにプレート４に高温部ＴＨと低温部ＴＬとを設けることにより、一つのプレート４自体に温度勾配を発生できるようにしている。
【００３０】
すなわち、高温部ＴＨは、施術方向αの前方側におけるプレート４の背面４ｂ側にヒータ（加熱部）６が取り付けられ、このヒータ６が発熱することで高温部ＴＨが構成される。このとき、ヒータ６はプレート４の長手方向に沿って延びており、プレート４の略全長に亘って高温部ＴＨが設けられている。勿論、他方の挟持部３のプレート４にあっても、同様の構成によって高温部ＴＨが形成されている。
【００３１】
なお、温度勾配を発生させる高温部ＴＨと低温部ＴＬとは、一対の挟持部２、３にそれぞれ設けられるプレート４のうちいずれか一方に設けられればよいが、本実施形態では両方のプレート４に設けている。したがって、２つの挟持部２、３のプレート４にそれぞれ温度勾配が形成されている。
【００３２】
また、プレート４は、基本的に熱伝導性の良い材料で形成されるのであるが、本実施形態ではその材料に断熱材料を含有させて形成しており、その断熱材料の含有率を施術方向αで異ならせている。すなわち、本実施形態では高温部ＴＨ側で断熱材料の含有率が小さくなり、低温部ＴＬ側で断熱材料の含有率が大きくなるようにしている。このときの断熱材料の含有率特性ｋは、図２中、上半分に示している。
【００３３】
プレート４は、ヒータ６に電流を印加して発熱させることにより高温部ＴＨ側で高温となり、この熱はプレート４を伝って低温部ＴＬ側へと伝達される。このとき、低温部ＴＬ側に向かって断熱材料の含有率が大きくなり、つまり、断熱材料の含有量が増加するため、高温部ＴＨ側から低温部ＴＬ側に伝達される熱が減少する。これにより、プレート４に顕著な温度勾配が発生されることになる。
【００３４】
さらに、一方の挟持部２の空間部Ｓ内には、ヒータ６に印加する電流値を制御する制御部７が収納されている。また、その制御部７が設けられた側と同じ挟持部２の外側には、ヒータ６への通電をＯＮ・ＯＦＦするスイッチ８が設けられている。
【００３５】
挟持部２の基端部２ｂ側からはコンセントに差し込む電源コード９が延びており、この電源コード９をコンセントに差し込み、かつ、スイッチ８をＯＮすることによってヒータ６に電力供給することができる。
【００３６】
したがって、本実施形態のヘアアイロン１で髪をセットする際には、電源コード９をコンセントに差し込んでスイッチ８をＯＮすることにより、制御部７を介してヒータ６に電力供給してヒータ６が加熱される。すると、プレート４は高温部ＴＨと低温部ＴＬとの間で温度勾配が発生される。この状態で挟持部２、３の先端部２ａ、３ａ間に髪を挟持して、ヘアアイロン１を施術方向αにゆっくりと移動させる。このときの施術方向αは、頭部側から髪先方向とすることが好ましい。
【００３７】
すると、一対の挟持部２、３に挟持された髪は、ヘアアイロン１の移動に伴ってプレート４の高温部ＴＨ側から低温部ＴＬ側へと相対的に移動する。これにより、髪は最初に高温部ＴＨで加熱され、その熱によってプレート４の表面４ａの平坦面でストレートに矯正される。
【００３８】
その後、ヘアアイロン１の移動に伴って、加熱された髪は低温部ＴＬへと運ばれて直ちに冷却される。この冷却によりプレート４間で矯正された髪をその形状（本実施形態ではストレート）で固定することができる。この場合、高温部ＴＨの温度は８０゜Ｃ〜２５０゜Ｃの範囲が好ましく、低温部ＴＬの温度は−１０゜Ｃ〜２０゜Ｃの範囲が好ましい。これらの温度範囲は、以下に述べる各実施形態にあっても同様である。
【００３９】
以上、説明してきたように、本実施形態のヘアアイロン１では、プレート４の施術方向αの前方側に高温部ＴＨを形成するとともに、施術方向αの後方側に低温部ＴＬを形成して、プレート４に温度勾配を発生させるようにしている。したがって、高温となった施術方向α前方側の高温部ＴＨで髪を加熱して矯正した後、その髪を低温となった施術方向α後方側の低温部ＴＬで直ちに冷却することができる。
【００４０】
このとき、ヒータ（加熱部）６を有した一つのプレート４自体に高温部ＴＨと低温部ＴＬとを設けて温度勾配を発生させるようにしたので、プレート４は高温部ＴＨの表面から低温部ＴＬの表面に亘って全体的に連続した面となる。これにより、高温部ＴＨから低温部ＴＬに至る間の表面４ａに不連続部分が形成されるのを防止できるため、施術時に髪が傷められるのを抑制でき、かつ、滑らかな動作で施術することができる。
【００４１】
勿論、この場合は高温部ＴＨで加熱した髪を低温部ＴＬで直ちに冷却できるため、矯正した髪型を長持ちさせることができる。
【００４２】
また、本実施形態では、施術方向αの前方側におけるプレート４の背面４ｂ側に、ヒータ６を配置したので、施術方向αの前方側に容易に高温部ＴＨを形成することができる。
【００４３】
さらにまた、本実施形態では、プレート４に含有された断熱材料の含有率を施術方向αで異ならせたので、高温部ＴＨから低温部ＴＬに至る温度勾配の傾きを調節することができる。すなわち、本実施形態のように高温部ＴＨ側から低温部ＴＬ側へと徐々に断熱材料の含有率を増大させることにより、プレート４に傾きの大きな温度勾配を発生させ、低温部ＴＬでの冷却効果をより高めることができる。
【００４４】
また、本実施形態では、温度勾配を発生させるようにしたプレート４を２つの挟持部２、３の何れにも設けたので、挟持部２、３の先端部２ａ、３ａに髪を挟持した際に、髪の両側から加熱および冷却を行うことができるため、施術効果をより高めることができる。
【００４５】
［第２実施形態］
図３は、本発明の第２実施形態を示した図であり、上記第１実施形態と同一構成部分に同一符号を付して重複する説明を省略して述べるものとする。
【００４６】
本実施形態のヘアアイロン１Ａが上記第１実施形態と主に異なる点は、施術方向αの後方側におけるプレート４の背面４ｂ側に、当該プレート４を冷やす冷却手段としての放熱フィン１０および排熱孔１２を設けたことにある。更には、高温部ＴＨと低温部ＴＬとの間に熱遮断部としての仕切り壁１１を設けたことにある。
【００４７】
すなわち、放熱フィン１０は、プレート４の低温部ＴＬに対応した部分に設けられ、プレート４の背面４ｂに複数の凹部１０ａを形成して、それら凹部１０ａの間に放熱フィン１０が形成されるようになっている。勿論、放熱フィン１０はプレート４の表面４ａに設けられることはない。
【００４８】
また、仕切り壁１１は、施術方向αに対して略直角方向となるプレート４の長手方向に延在して、プレート４と凹所２ｃ、３ｃの底面との間を閉塞するようになっている。そして、仕切り壁１１によって空間部Ｓが高温部ＴＨ側と低温部ＴＬ側とに隔成されている。
【００４９】
さらに、排熱孔１２は、凹所２ｃ、３ｃの底部に設けられており、この底部が放熱フィン１０に対向する部分を貫通して複数形成されている。そして、これら排熱孔１２によって空間部Ｓの内外が連通されている。
【００５０】
なお、本実施形態では、図３中の上半部に示すように、プレート４の断熱材料の含有率を、高温部ＴＨ端から高温部ＴＨと低温部ＴＬとの中間部まで徐々に高め、その中間部から低温部ＴＬ端までは一定としている。
【００５１】
したがって、本実施形態のヘアアイロン１Ａで髪をセットする際には、電源コード９をコンセントに差し込んでスイッチ８をＯＮすると、ヒータ６が加熱されてプレート４に温度勾配が形成される。これにより、第１の実施形態と同様に、高温部ＴＨで所望の髪型に矯正するとともに、低温部ＴＬで直ちに冷却して矯正した髪型を固定することができる。
【００５２】
このとき、本実施形態では、低温部ＴＬに放熱フィン１０が設けられているので、この放熱フィン１０によってプレート４の低温部ＴＬ側をより効果的に放熱することができる。
【００５３】
また、空間部Ｓに高温部ＴＨと低温部ＴＬとの間に位置して仕切り壁１１が設けられているので、高温部ＴＨ側の熱が空間部Ｓを介して低温部ＴＬ側に伝わるのを抑制できる。
【００５４】
さらに、凹所２ｃ、３ｃの底部には、放熱フィン１０に対応した部分に排熱孔１２が設けられているので、放熱フィン１０から放熱される熱を排熱孔１２から効率良く外側に排出できる。これにより、プレート４の低温部ＴＬ側の放熱効果がより高められる。
【００５５】
以上、説明してきたように、本実施形態のヘアアイロン１Ａによれば、ヒータ６によりプレート４自体に温度勾配を発生させることができるので、上記第１実施形態と同様の作用効果を奏することができる。
【００５６】
また、本実施形態では上記第１実施形態の効果に加えて、施術方向αの後方側におけるプレート４の背面４ｂ側に、冷却手段としての放熱フィン１０を設けたことにより、プレート４の低温部ＴＬ側の冷却効果をより高めることができる。これにより、高温部ＴＨで矯正した髪型の固定をより確実にすることができる。
【００５７】
さらに、プレート４が高温部ＴＨと低温部ＴＬとの間の空間部Ｓに配置される熱遮断部としての仕切り壁１１を備えることにより、高温部ＴＨ側の熱が空間部Ｓを介して低温部ＴＬ側に伝播されるのを抑制できる。よって、プレート４の低温部ＴＬ側の冷却効果をより高めることができる。このことによっても、高温部ＴＨで矯正した髪型の固定をより確実にすることができる。
【００５８】
さらにまた、凹所２ｃ、３ｃの底部に冷却手段としての排熱孔１２を設けたことによっても、プレート４の低温部ＴＬ側の冷却効果をより高めることができ、高温部ＴＨで矯正した髪型の固定をより確実にすることができる。
【００５９】
また、本実施形態では、プレート４の断熱材料の含有率を、高温部ＴＨ端から高温部ＴＨと低温部ＴＬとの中間部まで徐々に高め、その中間部から低温部ＴＬ端までを一定としている。これにより、低温部ＴＬの範囲を広げることができるため、髪の冷却効果をより高めて矯正した髪型をより確実に固定することができる。
【００６０】
［第３実施形態］
図４は、本発明の第３実施形態を示した図であり、上記第１および第２実施形態と同一構成部分に同一符号を付して重複する説明を省略して述べるものとする。
【００６１】
本実施形態のヘアアイロン１Ｂが上記第２実施形態と主に異なる点は、プレート４に、高温部ＴＨと低温部ＴＬとの間に配置される熱遮断部としての仕切り壁１１に加えて凹溝部１３を設けたことにある。また、施術方向αの後方側におけるプレート４の背面４ｂ側に、冷却手段としてのペルチェ素子１４およびそのペルチェ素子１４の放熱効果を高める放熱用ファン１５を設けたことにある。
【００６２】
凹溝部１３は、プレート４の背面４ｂを凹設して形成されるとともに、プレート４の長手方向に延在しており、その凹溝部１３の内面に耐熱コート１３ａが施されている。
【００６３】
また、ペルチェ素子１４は、冷却側をプレート４の背面４ｂに接触させて取り付けられる一方で、放熱側を空間部Ｓ内に位置させている。
【００６４】
放熱用ファン１５は、ペルチェ素子１４の近傍に位置してプレート４の背面４ｂに取り付けられている。
【００６５】
なお、本実施形態にあっても上記第２実施形態と同様に空間部Ｓに仕切り壁１１が設けられ、かつ、凹所２ｃ、３ｃの底部に排熱孔１２が設けられている。この場合、仕切り壁１１は凹溝部１３の高温部ＴＨ側の側縁に位置して設けられており、また、排熱孔１２は、ペルチェ素子１４および放熱用ファン１５の取付位置に対応して形成されている。
【００６６】
そして、ヒータ６、ペルチェ素子１４および放熱用ファン１５等の電気部品は配線を介して制御部７に接続され、スイッチ８をＯＮすることにより制御部７を介して各電気部品に電力供給されるようになっている。
【００６７】
なお、本実施形態では、図４中の上半部に示すように、プレート４の断熱材料の含有率を、高温部ＴＨ端から凹溝部１３の高温部ＴＨ側端まで徐々に高め、その高温部ＴＨ側端から凹溝部１３の低温部ＴＬ側端まで一定としている。そして、その低温部ＴＬ側端から低温部ＴＬ側端までは徐々に低くしている。
【００６８】
したがって、本実施形態のヘアアイロン１Ｂで髪をセットする際には、電源コード９をコンセントに差し込んでスイッチ８をＯＮする。すると、ヒータ６、ペルチェ素子１４および放熱用ファン１５に通電されて、ヒータ６で高温部ＴＨを加熱し、かつ、ペルチェ素子１４で低温部ＴＬを冷却する。また、放熱用ファン１５は、ペルチェ素子１４の放熱部で発生した熱気を積極的に排熱孔１２方向に移動させる。
【００６９】
これにより、ペルチェ素子１４によって低温部ＴＬを積極的に冷却できるため、プレート４に発生される温度勾配を大きくできる。このとき、ペルチェ素子１４の放熱部で放熱された熱は、放熱用ファン１５によって排熱孔１２から積極的に外側に排出され、ペルチェ素子１４の放熱が低温部ＴＬに影響するのが抑制されることになる。
【００７０】
また、本実施形態では上記第２実施形態と同様に、空間部Ｓに仕切り壁１１が設けられているので、高温部ＴＨ側の熱が空間部Ｓを介して低温部ＴＬ側に伝わるのを抑制できる。
【００７１】
以上、説明してきたように、本実施形態のヘアアイロン１Ｂによれば、ヒータ６によりプレート４に温度勾配を発生させることができるので、上記第１実施形態と同様の作用効果を奏する。
【００７２】
また、本実施形態では上記第１実施形態の効果に加えて、高温部ＴＨと低温部ＴＬとの間に凹溝部１３を設けたので、高温部ＴＨから低温部ＴＬに伝達される熱量を凹溝部１３によって効率良く遮断できる。これにより、プレート４の温度勾配をより大きくすることができ、高温部ＴＨで矯正した髪型の固定がより確実となる。
【００７３】
さらに、低温部ＴＬに冷却手段としてのペルチェ素子１４を設けたので、このペルチェ素子１４によって低温部ＴＬを積極的に冷却でき、低温部ＴＬの温度を更に低下させることができる。このことによっても、高温部ＴＨで矯正した髪型の固定をより確実にすることができる。
【００７４】
さらにまた、ペルチェ素子１４の近傍に放熱用ファン１５を設けたので、ペルチェ素子１４の放熱効率を向上させて、ペルチェ素子１４による冷却効果を高めることができる。勿論、この場合は、凹所２ｃ、３ｃの放熱用ファン１５が対向する底部に排熱孔１２を設けることにより、その排熱孔１２からペルチェ素子１４の放熱を積極的に外側に排出して、ペルチェ素子１４の冷却効率をより高めることができる。
【００７５】
また、本実施形態では、上記第２実施形態と同様に空間部Ｓに仕切り壁１１を設けているので、プレート４の低温部ＴＬ側の冷却効果をより高めることができる。
【００７６】
さらに、本実施形態では、プレート４の断熱材料の含有率を、高温部ＴＨ端から凹溝部１３の高温部ＴＨ側端まで徐々に高め、そして、凹溝部１３の低温部ＴＬ側端まで一定とし、それから低温部ＴＬ側端まで徐々に低くしている。
【００７７】
したがって、ペルチェ素子１４が設けられる低温部ＴＬでは断熱材料の含有量が少なくなっているため、ペルチェ素子１４による冷却温度を低温部ＴＬの表面２ａ、３ａへと効率良く伝達でき、低温部ＴＬを更に低温化させることができる。
【００７８】
［第４実施形態］
図５および図６は、本発明の第４実施形態を示した図であり、上記第１〜第３実施形態と同一構成部分に同一符号を付して重複する説明を省略して述べるものとする。
【００７９】
本実施形態のヘアアイロン１Ｃが上記第３実施形態と主に異なる点は、高温部ＴＨおよび低温部ＴＬにそれぞれ温度センサ１６、１７を設けたことにある。そして、それら温度センサ１６、１７の検出値に基づいて、ヒータ６、ペルチェ素子１４および放熱用ファン１５を制御するようにしている。
【００８０】
温度センサ１６、１７は、それぞれ凹溝部１３の両側縁近傍に配置され、それら温度センサ１６、１７の検出値を制御部７に取り込む。そして、この制御部７によってヒータ６、ペルチェ素子１４および放熱用ファン１５に供給する電流値を制御するようになっている。
【００８１】
このときの電流値制御は、例えば図６（ａ）、（ｂ）に２例を示す。
【００８２】
（ａ）の場合、上段に示すように、例えば温度センサ１７の検出値がＴ１まで上昇した場合、中段に示すように、ペルチェ素子１４および放熱用ファン１５に印加する電流値を、温度がＴ１まで上昇した時点から徐々に大きくする。これにより、低温部ＴＬの冷却能力を高めるようにしている。また、下段に示すように、ヒータ６に印加する電流値を徐々に高くして行く途中で、温度がＴ１まで上昇した時点を頂点として徐々に小さくする。これにより、高温部ＴＨ側の温度を下げるようにしている。
【００８３】
（ｂ）は（ａ）とは逆の場合で、上段に示すように、温度センサ１７の検出値がＴ２まで下降した場合、中段に示すように、ペルチェ素子１４および放熱用ファン１５に印加する電流値を、温度がＴ２まで下降した時点から徐々に小さくする。これにより、低温部ＴＬの冷却能力を低くするようにしている。また、下段に示すように、ヒータ６に印加する電流値を徐々に低くして行く途中で、温度がＴ２まで下降した時点を谷として徐々に大きくする。これにより、高温部ＴＨ側の温度を上昇させるようにしている。なお、（ａ）および（ｂ）のグラフ中、全てのグラフで横軸は時間を示す。また、上段のグラフでは縦軸は温度を示し、中段、下段のグラフでは縦軸は電流値を示す。
【００８４】
したがって、本実施形態のヘアアイロン１Ｃで髪をセットする際には、電源コード９をコンセントに差し込んでスイッチ８をＯＮすると、上記第３実施形態と同様に、ヒータ６、ペルチェ素子１４および放熱用ファン１５に通電される。すると、ヒータ６で高温部ＴＨを加熱し、かつ、ペルチェ素子１４で低温部ＴＬを冷却し、また、ペルチェ素子１４の放熱部で発生した熱を放熱用ファン１５によって積極的に排熱孔１２方向に移動させる。
【００８５】
このとき、本実施形態では、高温部ＴＨおよび低温部ＴＬに設けられた温度センサ１６、１７の検出値に基づいて、制御部７がヒータ６、ペルチェ素子１４および放熱用ファン１５に印加する電流値をそれぞれ制御する。これにより、ヒータ６による高温部ＴＨの加熱量、ペルチェ素子１４による低温部ＴＬの冷却量および放熱用ファン１５の風量が、それぞれ緻密に制御されることになる。
【００８６】
以上、説明してきたように、本実施形態のヘアアイロン１Ｃによれば、仕切り壁１１、ペルチェ素子１４、放熱用ファン１５および排熱孔１２が設けられていることにより、第３実施形態と同様の作用効果を奏する。
【００８７】
このとき、本実施形態では高温部ＴＨおよび低温部ＴＬにそれぞれ温度センサ１６、１７を設けて、ヒータ６、ペルチェ素子１４および放熱用ファン１５に印加する電流値を制御するようにしている。
【００８８】
したがって、ヒータ６による高温部ＴＨの加熱量、ペルチェ素子１４による低温部ＴＬの冷却量および放熱用ファン１５の風量を、ヘアアイロン１Ｃの使用状態に応じてそれぞれ緻密に制御することができる。これにより、加熱による髪の矯正および矯正した髪の冷却をより適する温度で施術できるため、髪の傷みをより低減することができる。
【００８９】
なお、本実施形態では温度センサ１６、１７を設ける構造を上記第３実施形態に適用した場合を示したが、上記第１実施形態や上記第２実施形態に適用してヒータ６の温度制御を行うようにすることもできる。
【００９０】
［第５実施形態］
図７〜図９は、本発明の第５実施形態を示した図であり、上記第１〜第４実施形態と同一構成部分に同一符号を付して重複する説明を省略して述べるものとする。
【００９１】
本実施形態のヘアアイロン１Ｄが上記第３実施形態と主に異なる点は、上記第３実施形態の冷却ファン１５に代えて手動式のポンプ１８を用いたことにある。
【００９２】
ポンプ１８は、一対の挟持部２、３にそれぞれ設けられている。このポンプ１８は、図９に示すように、外側面が伸縮自在な蛇腹状となった密閉構造の容器本体部１８ａと、この容器本体部１８ａの内部にそれぞれ連通される空気取入口１８ｂおよび空気排出管１８ｃとによって概ね構成されている。空気排出管１８ｃの途中には空気の逆流を防止する逆止弁１８ｄが設けられ、また、空気取入口１８ｂにも図示は省略したが逆止弁が設けられる。
【００９３】
そして、図７に示すように、それぞれの容器本体部１８ａは、２つの挟持部２、３のプレート４を除く対向面（本実施形態ではプレート４の基端部２ｂ、３ｂ寄りの外側縁部）にそれぞれ設置してある。そして、それぞれの容器本体部１８ａの固定端は、相手側の挟持部３、２に向かって全体が突出した状態で取り付けられる。このとき、図８に示すように、空気排出管１８ｃは、空間部Ｓ内を通って先端の排出口がペルチェ素子１４の近傍に配置されるようにしている。
【００９４】
したがって、本実施形態のヘアアイロン１Ｄで髪をセットしようとして２つの挟持部２、３を閉じると、容器本体部１８ａは、自由端となった突出端が相手側の挟持部２、３に押圧されて蛇腹部分が縮む。このように、容器本体部１８ａが縮むことにより、内部の空気は空気排出管１８ｃからペルチェ素子１４に向かって放出される。
【００９５】
また、容器本体部１８ａは、閉じられていた２つの挟持部２、３が開くことにより押圧力が解除されるため、容器本体部１８ａは自己復元力により空気取入口１８ｂから空気を取り込みつつ元の状態に復帰する。
【００９６】
ところで、本実施形態にあっても上記第３実施形態と同様に凹所２ｃ、３ｃの底部に排熱孔１２を設けており、空気排出管１８ｃから放出された空気は排熱孔１２から外側に排出される。このとき、ペルチェ素子１４の放熱も同時に外側に排出されることになる。
【００９７】
以上、説明してきたように、本実施形態のヘアアイロン１Ｄによれば、冷却ファン１５に代えてポンプ１８を用いてペルチェ素子１４の放熱を排出できるので、上記第３実施形態と同様の作用効果を奏することができる。
【００９８】
また、その効果に加えて、ペルチェ素子１４の放熱を排出するに電気エネルギーを使用する必要が無くなるため、ヘアアイロン１Ｄのランニングコストを低減することができる。また、ポンプ１８が手動式であるため、プレート４の温度勾配を安定的に長く保つことができる。
【００９９】
［第６実施形態］
図１０および図１１は、本発明の第６実施形態を示した図であり、上記第１〜第５実施形態と同一構成部分に同一符号を付して重複する説明を省略して述べるものとする。
【０１００】
本実施形態のヘアアイロン１Ｅが上記第３実施形態と主に異なる点は、２つの挟持部２、３にそれぞれ設けられるプレート４を施術方向αに複数並設したことにある。そして、これら複数並設されたプレート４の表面４ａに亘って滑らかな連続面となるコーティング層１９を施し、このコーティング層１９で複数のプレート４の表面４ａを連続して覆うようにしたことにある。
【０１０１】
すなわち、本実施形態では、挟持部２および挟持部３には、図１０（ｂ）および図１１に示すように、それぞれ２枚のプレート４を施術方向αに並設している。そして、並設された２枚のプレート４の表面４ａを連続したコーティング層１９で覆っている。
【０１０２】
また、本実施形態のヘアアイロン１Ｅは、それぞれのプレート４には、ヒータ６は勿論のこと、上記第３実施形態と同様に仕切り壁１１、凹溝部１３、ペルチェ素子１４および冷却ファン１５が設けられている。このとき、制御部７はヘアアイロン１Ｅ全体で少なくとも１つ設けられていれば足りる。この場合は、１つの制御部７で、２つの挟持部２、３にそれぞれ並設されたプレート４のヒータ６、ペルチェ素子１４および冷却ファン１５の電流値を一括して制御すればよい。
【０１０３】
したがって、本実施形態のヘアアイロン１Ｅで髪をセットする際には、２つの挟持部２、３にそれぞれ設けられた２枚ずつのプレート４で髪を挟持して施術することになる。よって、施術方向αの前側に配置したプレート４の温度勾配によって髪を施術した後、その施術した髪を施術方向αの後側に配置したプレート４の温度勾配によって再度施術することができる。
【０１０４】
このように、ヘアアイロン１Ｅを施術方向αに移動させることによって、髪は、一枚目のプレート４の高温部ＴＨで矯正された後に低温部ＴＬで冷却され、次いで、二枚目のプレート４の高温部ＴＨで矯正された後に低温部ＴＬで冷却される。したがって、一度の施術で髪の矯正と冷却を２回繰り返して行うことができるようになる。
【０１０５】
なお、本実施形態のヘアアイロン１Ｅは、上記第３実施形態のプレート４に限ることなく、第１、第２および第４、第５実施形態に示したプレート４にあっても適用することができる。また、各挟持部２、３に並設するプレート４は２枚に限ることなく、３枚以上であってもよい。
【０１０６】
以上、説明してきたように、本実施形態のヘアアイロン１Ｅによれば、１つの挟持部２、３に対してプレート４を複数並設したので、一度の施術で髪の矯正と冷却を複数繰り返して行うことができる。これにより、髪のセット力を向上させるとともに、セットした髪型を長持ちさせることができる。
【０１０７】
また、並設された複数のプレート４の表面４ａをコーティング層１９によって連続して覆ったので、プレート４を複数設けた場合にもそれらプレート４間に不連続部分が設けられるのを防止できる。したがって、施術時に髪を傷めるのを抑えつつ滑らかな動作で施術することができる。
【０１０８】
［第７実施形態］
図１２および図１３は、本発明の第７実施形態を示した図であり、上記第１〜第６実施形態と同一構成部分に同一符号を付して重複する説明を省略して述べるものとする。
【０１０９】
本実施形態のヘアアイロン１Ｆが上記第３実施形態と主に異なる点は、一方の挟持部２Ａのプレート４Ａが断面円弧状の凸面４ｖとなり、他方の挟持部３Ａのプレート４Ｂが断面円弧状の凹面４ｃとなっていることにある。
【０１１０】
すなわち、本実施形態にあっても前述した各実施形態と同様に、２つの挟持部２Ａ、３Ａはそれぞれの基端部２Ａｂ、３Ａｂが回動自在に連結されている。この場合にあっても両挟持部２Ａ、３Ａは、先端部２Ａａ、３Ａａ側が開く方向に付勢されていることが好ましい。
【０１１１】
そして、２つの挟持部２Ａ、３Ａの先端部２Ａａ、３Ａａ間に髪を挟持して施術することになるが、この場合はプレート４Ａ、４Ｂの合わせ面が円弧状となっているため、髪型はカール状に矯正されることになる。
【０１１２】
このとき、温度勾配を発生させる高温部ＴＨおよび低温部ＴＬは、一方の挟持部２Ａのプレート４Ａのみに与えられ、他方の挟持部３Ａのプレート４Ｂは単に髪を挟持する機能のみを有する。
【０１１３】
また、本実施形態のヘアアイロン１Ｆは、一方の挟持部２Ａのプレート４Ａには、ヒータ６は勿論のこと、上記第３実施形態と同様に仕切り壁１１、凹溝部１３、ペルチェ素子１４および冷却ファン１５が設けられている。
【０１１４】
したがって、本実施形態のヘアアイロン１Ｆで髪をセットする際には、前述した各実施形態と同様に電源コード９をコンセントに差し込んで施術することになるが、一方の挟持部２Ａのプレート４Ａの温度勾配のみによって髪がセットされる。これにより、プレート４Ａの高温部ＴＨで加熱して矯正した髪を、プレート４Ａの低温部ＴＬで直ちに冷却することによりカール状の髪型に固定することができる。
【０１１５】
以上、説明してきたように、本実施形態のヘアアイロン１Ｆによれば、一方の挟持部２Ａのプレート４Ａを断面円弧状の凸面４ｖとし、他方の挟持部３Ａのプレート４Ｂを断面円弧状の凹面４ｃとしたので、カール状の髪型にセットできる。
【０１１６】
勿論、円弧状に形成されたプレート４Ａ、４Ｂにあっても、髪が接触する面は滑らかであるため、施術時に髪が傷められるのを抑制でき、かつ、滑らかな動作で施術することができる。
【０１１７】
また、この場合にあっても一方の挟持部２Ａのプレート４Ａに、ヒータ６、仕切り壁１１、凹溝部１３、ペルチェ素子１４および冷却ファン１５が設けられて温度勾配を発生させるようになっているので、上記第３実施形態と同様の作用効果を奏することができる。
【０１１８】
なお、本実施形態の一方のプレート４Ａを凸面４ｖとし、他方のプレート４Ｂを凹面４ｃとする構造は、上記第３実施形態に限ることなく、第１、第２、第４、第５および第６の実施形態にあっても適用することができる。
【０１１９】
以上、本発明の好適な実施形態について説明したが、本発明は上記実施形態には限定されず、種々の変形が可能である。
【符号の説明】
【０１２０】
１、１Ａ、１Ｂ、１Ｃ、１Ｄ、１Ｅ、１Ｆ  ヘアアイロン（髪ケア装置）
２、２Ａ、３、３Ａ  挟持部
４、４Ａ  プレート（髪接触部材）
６    ヒータ（加熱部）
ＴＨ  高温部
ＴＬ  低温部
α    施術方向
【図１】
2013063102.tif 000003
【図２】
2013063102.tif 000004
【図３】
2013063102.tif 000005
【図４】
2013063102.tif 000006
【図５】
2013063102.tif 000007
【図６】
2013063102.tif 000008
【図７】
2013063102.tif 000009
【図８】
2013063102.tif 000010
【図９】
2013063102.tif 000011
【図１０】
2013063102.tif 000012
【図１１】
2013063102.tif 000013
【図１２】
2013063102.tif 000014
【図１３】
2013063102.tif 000015